【手続補正書】
【提出日】平成21年4月15日(2009.4.15)
【手続補正１】
【補正対象書類名】特許請求の範囲
【補正対象項目名】全文
【補正方法】変更
【補正の内容】
【特許請求の範囲】
【請求項１】
第１の電極及び第２の電極と、
前記第１の電極と前記第２の電極との間に配置された、電気泳動粒子を含有する分散系と、
複数の走査線と、
前記複数の走査線と交差する複数のデータ線と、
前記データ線と前記走査線との交差に対応して設けられ、前記データ線、前記走査線、及び前記第１の電極に電気的に接続されたスイッチング素子と、
を備えた電気泳動表示装置の駆動方法であって、
表示階調に対応した位置へ前記電気泳動粒子を移動させるために、前記表示階調に対応した値の電圧を、前記第１の電極および前記第２の電極の間に印加するステップを有することを特徴とする電気泳動表示装置の駆動方法。
【請求項２】
請求項１に記載の電気泳動表示装置の駆動方法であって、
前記表示階調に対応した値の電圧を印加するステップは、
１水平走査期間にわたって前記走査線に選択電圧を供給することにより前記スイッチング素子をオン状態とし、前記データ線と前記第１の電極とを接続するステップと、
前記スイッチング素子がオン状態となった前記水平走査期間のうち少なくとも一部の期間において、前記第１の電極と前記第２の電極との間に前記表示階調に対応した値の電圧を生じさせるための信号を、前記データ線及び前記スイッチング素子を介して前記第１の電極に供給するステップと、を有することを特徴とする電気泳動表示装置の駆動方法。
【請求項３】
請求項２に記載の電気泳動表示装置の駆動方法であって、
前記スイッチング素子がオン状態となった前記水平走査期間において、前記一部の期間の後に、前記第１の電極と前記第２の電極との間の電圧が前記電気泳動粒子の泳動を停止させる電圧となるような信号を、前記データ線及び前記スイッチング素子を介して前記第１の電極に供給することを特徴とする電気泳動表示装置の駆動方法。
【請求項４】
請求項１に記載の電気泳動表示装置の駆動方法であって、
前記表示階調に対応した値の電圧を印加するステップは、
第１の水平走査期間において前記走査線に選択電圧を供給することにより前記スイッチング素子をオン状態とし、前記データ線と前記第１の電極とを接続するステップと、
前記第１の水平走査期間において、前記第１の電極と前記第２の電極との間に前記表示階調に対応した値の電圧を生じさせるための信号を、前記データ線及び前記スイッチング素子を介して前記第１の電極に供給するステップと、
前記第１の水平走査期間より後の第２の水平走査期間において前記走査線に選択電圧を供給することにより前記スイッチング素子をオン状態とし、前記データ線と前記第１の電極とを接続するステップと、
前記第２の水平走査期間において、前記第１の電極と前記第２の電極との間の電圧が前記電気泳動粒子の泳動を停止させる電圧となるような信号を、前記データ線及び前記スイッチング素子を介して前記第１の電極に供給することを特徴とする電気泳動表示装置の駆動方法。
【請求項５】
請求項４に記載の電気泳動表示装置の駆動方法であって、
前記第１の水平走査期間は、第１のフィールド期間に含まれ、前記第２の水平走査期間は、前記第１のフィールド期間より後の第２のフィールド期間に含まれることを特徴とする電気泳動表示装置の駆動方法。
【請求項６】
請求項１から５のいずれか一項に記載の電気泳動表示装置の駆動方法であって、
前記表示階調に対応した値の電圧を印加するステップの前に、前記第１の電極および前記第２の電極の間にリセット電圧を印加することにより、前記電気泳動粒子を、前記分散系中において前記第１電極側または前記第２電極側へ引き寄せるリセットステップをさらに有することを特徴とする電気泳動表示装置の駆動方法。
【請求項７】
第１の電極及び第２の電極と、
前記第１の電極と前記第２の電極との間に配置された、電気泳動粒子を含有する分散系と、
複数の走査線と、
前記複数の走査線と交差する複数のデータ線と、
前記データ線と前記走査線との交差に対応して設けられ、前記データ線、前記走査線、及び前記第１の電極に電気的に接続されたスイッチング素子と、
を有する電気泳動表示装置の駆動回路であって、
表示階調に対応した位置へ前記電気泳動粒子を移動させるために、前記表示階調に対応した値の電圧を、前記第１の電極および前記第２の電極の間に印加することを特徴とする電気泳動表示装置の駆動回路。
【請求項８】
請求項７に記載の電気泳動表示装置の駆動回路であって、
１水平走査期間にわたって前記走査線に選択電圧を供給することにより前記スイッチング素子をオン状態とし、前記データ線と前記第１の電極とを接続する走査線駆動部と、
前記スイッチング素子がオン状態となった前記水平走査期間のうち少なくとも一部の期間において、前記第１の電極と前記第２の電極との間に前記表示階調に対応した値の電圧を生じさせるための信号を、前記データ線及び前記スイッチング素子を介して前記第１の電極に供給するデータ線駆動部と、を有することを特徴とする電気泳動表示装置の駆動回路。
【請求項９】
請求項７に記載の電気泳動表示装置の駆動回路であって、
前記複数の走査線を駆動する走査線駆動部と、
前記複数のデータ線を駆動するデータ線駆動部と、を有し、
前記走査線駆動部は、第１の水平走査期間において前記走査線に選択電圧を供給することにより前記スイッチング素子をオン状態とし、前記データ線と前記第１の電極とを接続し、
前記データ線駆動部は、前記第１の水平走査期間において、前記第１の電極と前記第２の電極との間に前記表示階調に対応した値の電圧を生じさせるための信号を、前記データ線及び前記スイッチング素子を介して前記第１の電極に供給し、
前記走査線駆動部は、前記第１の水平走査期間より後の第２の水平走査期間において前記走査線に選択電圧を供給することにより前記スイッチング素子をオン状態とし、前記データ線と前記第１の電極とを接続し、
前記データ線駆動部は、前記第２の水平走査期間において、前記第１の電極と前記第２の電極との間の電圧が前記電気泳動粒子の泳動を停止させる電圧となるような信号を、前記データ線及び前記スイッチング素子を介して前記第１の電極に供給することを特徴とする電気泳動表示装置の駆動回路。
【請求項１０】
第１の電極及び第２の電極と、
前記第１の電極と前記第２の電極との間に配置された、電気泳動粒子を含有する分散系と、
複数の走査線と、
前記複数の走査線と交差する複数のデータ線と、
前記データ線と前記走査線との交差に対応して設けられ、前記データ線、前記走査線、及び前記第１の電極に電気的に接続されたスイッチング素子と、
を備え、
表示階調に対応した位置へ前記電気泳動粒子を移動させるために、前記表示階調に対応した値の電圧が、前記第１の電極および前記第２の電極の間に印加されることを特徴とする電気泳動表示装置。
【請求項１１】
請求項１０に記載の電気泳動表示装置であって、
１水平走査期間にわたって前記走査線に選択電圧が供給されることにより前記スイッチング素子がオン状態となって前記データ線と前記第１の電極とが接続され、
前記スイッチング素子がオン状態となった前記水平走査期間のうち少なくとも一部の期間において、前記第１の電極と前記第２の電極との間に前記表示階調に対応した値の電圧を生じさせるための信号が、前記データ線及び前記スイッチング素子を介して前記第１の電極に供給されることを特徴とする電気泳動表示装置。
【請求項１２】
請求項１１に記載の電気泳動表示装置であって、
前記スイッチング素子がオン状態となった前記水平走査期間において、前記一部の期間の後に、前記第１の電極と前記第２の電極との間の電圧が前記電気泳動粒子の泳動を停止させる電圧となるような信号が、前記データ線及び前記スイッチング素子を介して前記第１の電極に供給されることを特徴とする電気泳動表示装置。
【請求項１３】
請求項１０に記載の電気泳動表示装置であって、
第１の水平走査期間において前記走査線に選択電圧が供給されることにより前記スイッチング素子がオン状態となって前記データ線と前記第１の電極とが接続され、
前記第１の水平走査期間において、前記第１の電極と前記第２の電極との間に前記表示階調に対応した値の電圧を生じさせるための信号が、前記データ線及び前記スイッチング素子を介して前記第１の電極に供給され、
前記第１の水平走査期間より後の第２の水平走査期間において前記走査線に選択電圧が供給されて前記スイッチング素子がオン状態となって前記データ線と前記第１の電極とが接続され、
前記第２の水平走査期間において、前記第１の電極と前記第２の電極との間の電圧が前記電気泳動粒子の泳動を停止させる電圧となるような信号が、前記データ線及び前記スイッチング素子を介して前記第１の電極に供給されることを特徴とする電気泳動表示装置。
【請求項１４】
請求項１３に記載の電気泳動表示装置であって、
前記第１の水平走査期間は、第１のフィールド期間に含まれ、前記第２の水平走査期間は、前記第１のフィールド期間より後の第２のフィールド期間に含まれることを特徴とする電気泳動表示装置。
【請求項１５】
請求項１０から１４のいずれか一項に記載の電気泳動表示装置であって、
前記表示階調に対応した値の電圧が印加される前に、前記第１の電極および前記第２の電極の間にリセット電圧が印加されることにより、前記電気泳動粒子が、前記分散系中において前記第１電極側または前記第２電極側へ引き寄せられることを特徴とする電気泳動表示装置。
【請求項１６】
請求項１０から１５のいずれか一項に記載の電気泳動表示装置を備えることを特徴とする電子機器。
【手続補正２】
【補正対象書類名】明細書
【補正対象項目名】０００５
【補正方法】変更
【補正の内容】
【０００５】
本発明は、一の態様において、第１の電極及び第２の電極と、前記第１の電極と前記第２の電極との間に配置された、電気泳動粒子を含有する分散系と、複数の走査線と、前記複数の走査線と交差する複数のデータ線と、前記データ線と前記走査線との交差に対応して設けられ、前記データ線、前記走査線、及び前記第１の電極に電気的に接続されたスイッチング素子と、を備えた電気泳動表示装置の駆動方法であって、表示階調に対応した位置へ前記電気泳動粒子を移動させるために、前記表示階調に対応した値の電圧を、前記第１の電極および前記第２の電極の間に印加するステップを有することを特徴とする電気泳動表示装置の駆動方法を提供する。
好ましい態様において、前記表示階調に対応した値の電圧を印加するステップは、１水平走査期間にわたって前記走査線に選択電圧を供給することにより前記スイッチング素子をオン状態とし、前記データ線と前記第１の電極とを接続するステップと、前記スイッチング素子がオン状態となった前記水平走査期間のうち少なくとも一部の期間において、前記第１の電極と前記第２の電極との間に前記表示階調に対応した値の電圧を生じさせるための信号を、前記データ線及び前記スイッチング素子を介して前記第１の電極に供給するステップと、を有する。
他の好ましい態様において、前記スイッチング素子がオン状態となった前記水平走査期間において、前記一部の期間の後に、前記第１の電極と前記第２の電極との間の電圧が前記電気泳動粒子の泳動を停止させる電圧となるような信号を、前記データ線及び前記スイッチング素子を介して前記第１の電極に供給する。
さらに他の好ましい態様において、前記表示階調に対応した値の電圧を印加するステップは、第１の水平走査期間において前記走査線に選択電圧を供給することにより前記スイッチング素子をオン状態とし、前記データ線と前記第１の電極とを接続するステップと、前記第１の水平走査期間において、前記第１の電極と前記第２の電極との間に前記表示階調に対応した値の電圧を生じさせるための信号を、前記データ線及び前記スイッチング素子を介して前記第１の電極に供給するステップと、前記第１の水平走査期間より後の第２の水平走査期間において前記走査線に選択電圧を供給することにより前記スイッチング素子をオン状態とし、前記データ線と前記第１の電極とを接続するステップと、前記第２の水平走査期間において、前記第１の電極と前記第２の電極との間の電圧が前記電気泳動粒子の泳動を停止させる電圧となるような信号を、前記データ線及び前記スイッチング素子を介して前記第１の電極に供給する。
更に他の好ましい態様において、前記第１の水平走査期間は、第１のフィールド期間に含まれ、前記第２の水平走査期間は、前記第１のフィールド期間より後の第２のフィールド期間に含まれる。
更に他の好ましい態様において、前記表示階調に対応した値の電圧を印加するステップの前に、前記第１の電極および前記第２の電極の間にリセット電圧を印加することにより、前記電気泳動粒子を、前記分散系中において前記第１電極側または前記第２電極側へ引き寄せるリセットステップをさらに有する。
本発明は、他の観点において、第１の電極及び第２の電極と、前記第１の電極と前記第２の電極との間に配置された、電気泳動粒子を含有する分散系と、複数の走査線と、前記複数の走査線と交差する複数のデータ線と、前記データ線と前記走査線との交差に対応して設けられ、前記データ線、前記走査線、及び前記第１の電極に電気的に接続されたスイッチング素子と、を有する電気泳動表示装置の駆動回路であって、表示階調に対応した位置へ前記電気泳動粒子を移動させるために、前記表示階調に対応した値の電圧を、前記第１の電極および前記第２の電極の間に印加することを特徴とする電気泳動表示装置の駆動回路を提供する。
本発明は、さらに他の観点において、第１の電極及び第２の電極と、前記第１の電極と前記第２の電極との間に配置された、電気泳動粒子を含有する分散系と、複数の走査線と、前記複数の走査線と交差する複数のデータ線と、前記データ線と前記走査線との交差に対応して設けられ、前記データ線、前記走査線、及び前記第１の電極に電気的に接続されたスイッチング素子とを備え、表示階調に対応した位置へ前記電気泳動粒子を移動させるために、前記表示階調に対応した値の電圧が、前記第１の電極および前記第２の電極の間に印加されることを特徴とする電気泳動表示装置を提供する。
本発明は、さらに他の観点において、上記電気泳動表示装置を備えることを特徴とする電子機器を提供する。
【手続補正３】
【補正対象書類名】明細書
【補正対象項目名】０００６
【補正方法】削除
【補正の内容】
【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】削除
【補正の内容】